Podtech/llm-jp-corpus-v4-ja_patent huggingface dataset:
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴と、
遊技毎に、開始操作により抽選条件が成立すると、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記遊技を実行する遊技実行手段と、
遊技における出玉率を決定する為の複数の設定値の中の１つを記憶する記憶手段と、
記憶する設定値に関する演出を表示装置に表示することが可能な演出制御手段と、
操作時間当てゲームの正解時間範囲を決定する決定手段と、
計時条件の成立から、前記停止スイッチが操作されるまでの操作時間を計時する計時手段と、
を具備し、
前記遊技実行手段が操作時間当てゲームを実行した場合、前記操作時間と前記正解時間範囲との関係が演出実行条件を満たすとき、前記演出制御手段は、前記設定値に関する演出を実行すること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、外周面に複数種類の図柄が配置された複数の回胴と、遊技毎に、開始操作により抽選条件が成立すると、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記遊技を実行する遊技実行手段と、遊技における出玉率を決定する為の複数の設定値の中の１つを記憶する記憶手段と、記憶する設定値に関する演出を表示装置に表示することが可能な演出制御手段と、操作時間当てゲームの正解時間範囲を決定する決定手段と、計時条件の成立から、前記停止スイッチが操作されるまでの操作時間を計時する計時手段と、を具備し、前記遊技実行手段が操作時間当てゲームを実行した場合、前記操作時間と前記正解時間範囲との関係が演出実行条件を満たすとき、前記演出制御手段は、前記設定値に関する演出を実行することを特徴とする。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
冬虫夏草の培養種菌を接種した培地を内部に入れ、育成施設内に縦置き姿勢で設置されて前記冬虫夏草を育成するために使用される円筒形育成容器において、
上面が開口された円筒形容器本体と、
前記円筒形容器本体の上部に円筒軸回りに回動可能に被せられる下面が開口された円筒形蓋と、を備え、
前記円筒形容器本体の側壁上部には、本体側換気用穴が形成され、
前記円筒形蓋の側壁下部には、蓋側換気用穴が形成され、
前記円筒形蓋を前記円筒形容器本体に対して前記円筒軸回りに回動させ、前記本体側換気用穴と前記蓋側換気用穴とが重畳することで換気用開口が構成され、
さらに、前記円筒形容器本体の側壁上部には、前記換気用開口が開く開位置と、前記換気用開口が閉じる閉位置との間で前記円筒形蓋を回動させるために、所定の長さにわたって所定の高さで切り欠かれた開閉用段差部が形成され、
前記円筒形蓋の内側壁面には、前記円筒軸回りの回動の際に、前記開閉用段差部に位置し、前記開閉用段差部の両端の係止部に衝突することで前記開位置又は前記閉位置で回動を停止させる、内側に突出した回転係止凸部が形成されていることを特徴とする冬虫夏草の育成に使用される円筒形育成容器。
【請求項２】
前記換気用開口は、前記円筒形育成容器の上部の円周回りに180°離れた2箇所のみに形成されていることを特徴とする請求項１記載の円筒形育成容器。
【請求項３】
前記本体側換気用穴は、前記開閉用段差部内に形成され、
前記開閉用段差部は、2箇所に形成された前記本体側換気用穴にそれぞれ対応して2箇所に形成され、
前記回転係止凸部は、2箇所に形成された前記蓋側換気用穴のそれぞれの傍に1つずつ2箇所に形成されていることを特徴とする請求項２記載の円筒形育成容器。
【手続補正２】
【補正対象書類名】明細書
【補正対象項目名】発明の名称
【補正方法】変更
【補正の内容】
【発明の名称】円筒形育成容器
【手続補正３】
【補正対象書類名】明細書
【補正対象項目名】０００１
【補正方法】変更
【補正の内容】
【０００１】
本発明は、冬虫夏草の育成方法に関し、特に、菌床栽培による冬虫夏草の育成方法に用いる円筒形育成容器に関する。
【手続補正４】
【補正対象書類名】明細書
【補正対象項目名】０００６
【補正方法】変更
【補正の内容】
【０００６】
本発明は、このような課題に鑑みてなされたものであり、培養効率が高く十分な量の冬虫夏草を収穫することのできる冬虫夏草の育成方法に用いる円筒形育成容器を提供することを目的とする。
【手続補正５】
【補正対象書類名】明細書
【補正対象項目名】０００７
【補正方法】変更
【補正の内容】
【０００７】
上記課題を解決するための本発明に係る冬虫夏草の育成方法に用いる円筒形育成容器は、冬虫夏草の培養種菌を接種した培地を内部に入れ、育成施設内に縦置き姿勢で設置されて前記冬虫夏草を育成するために使用される円筒形育成容器において、上面が開口された円筒形容器本体と、前記円筒形容器本体の上部に円筒軸回りに回動可能に被せられる下面が開口された円筒形蓋と、を備え、前記円筒形容器本体の側壁上部には、本体側換気用穴が形成され、前記円筒形蓋の側壁下部には、蓋側換気用穴が形成され、前記円筒形蓋を前記円筒形容器本体に対して前記円筒軸回りに回動させ、前記本体側換気用穴と前記蓋側換気用穴とが重畳することで換気用開口が構成され、さらに、前記円筒形容器本体の側壁上部には、前記換気用開口が開く開位置と、前記換気用開口が閉じる閉位置との間で前記円筒形蓋を回動させるために、所定の長さにわたって所定の高さで切り欠かれた開閉用段差部が形成され、前記円筒形蓋の内側壁面には、前記円筒軸回りの回動の際に、前記開閉用段差部に位置し、前記開閉用段差部の両端の係止部に衝突することで前記開位置又は前記閉位置で回動を停止させる、内側に突出した回転係止凸部が形成されていることを特徴とする。
【手続補正６】
【補正対象書類名】明細書
【補正対象項目名】０００８
【補正方法】変更
【補正の内容】
【０００８】
本発明に係る冬虫夏草の育成方法に用いる円筒形育成容器によれば、培養効率が高く十分な量の冬虫夏草を収穫することができる。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
始動条件の成立により遊技情報を取得し、判定条件が成立すると前記遊技情報に基づいて、遊技者に有利な特別遊技を実行するか否かの特別遊技判定を実行する遊技機において、
前記特別遊技判定の権利を第１の数と第２の数を含む所定数保留可能な保留手段と、
一の前記特別遊技判定の結果に基づいて、
表示手段における所定の表示領域において複数の装飾図柄の変動表示を行った後、前記所定の表示領域の全ての前記装飾図柄を確認可能な状態で表示する確認表示を行うと共に、
前記所定の表示領域とは異なる領域においても前記装飾図柄とは異なる特殊図柄の変動表示を行った後、前記特殊図柄を確認可能な状態で表示する確認表示を行う、変動演出を実行可能な演出制御手段と、を備え、
前記変動演出は、
前記特別遊技を実行する可能性を示唆するリーチ演出を行う第１変動演出と、
前記リーチ演出を行わない第２変動演出と、を含み、
前記保留手段に前記第１の数の前記権利が保留されているときに行われた前記特別遊技判定の結果に基づく前記第２変動演出よりも、
前記保留手段に前記第２の数の前記権利が保留されているときに行われた前記特別遊技判定の結果に基づく前記第２変動演出の方が、
前記装飾図柄の確認表示の実行時間が短くなり易い一方、
前記保留手段に前記第１の数の前記権利が保留されているときに行われた前記特別遊技判定の結果に基づく前記第２変動演出のときと、
前記保留手段に前記第２の数の前記権利が保留されているときに行われた前記特別遊技判定の結果に基づく前記第２変動演出のときとで、
前記特殊図柄の確認表示の実行時間は同じである、ことを特徴とする遊技機。
【手続補正２】
【補正対象書類名】明細書
【補正対象項目名】０００７
【補正方法】変更
【補正の内容】
【０００７】
上記課題を解決するため本発明は、始動条件の成立により遊技情報を取得し、判定条件が成立すると前記遊技情報に基づいて、遊技者に有利な特別遊技（大当たり遊技）を実行するか否かの特別遊技判定を実行する遊技機において、前記特別遊技判定の権利を第１の数（例えば、１）と第２の数（例えば、３）を含む所定数保留可能な保留手段（主制御基板１１０）と、一の前記特別遊技判定の結果に基づいて、表示手段（第１画像表示装置７０、第２画像表示装置７１）における所定の表示領域において複数の装飾図柄（演出図柄７０ａ）の変動表示を行った後、前記所定の表示領域の全ての前記装飾図柄を確認可能な状態で表示する確認表示（仮停止表示及び本停止表示、仮停止表示のみ、又は、本停止表示のみ）を行うと共に、前記所定の表示領域とは異なる領域においても前記装飾図柄とは異なる特殊図柄（特殊演出図柄７０ｅ）の変動表示を行った後、前記特殊図柄を確認可能な状態で表示する確認表示を行う、変動演出を実行可能な演出制御手段（演出制御基板１３０）と、を備え、前記変動演出は、前記特別遊技を実行する可能性を示唆するリーチ演出（例えば、ＳＰリーチやＳＰＳＰリーチなど）を行う第１変動演出（例えば、変動演出パターン６や１１）と、前記リーチ演出を行わない第２変動演出（変動演出パターン１や２）と、を含み、前記保留手段に前記第１の数の前記権利が保留されているときに行われた前記特別遊技判定の結果に基づく前記第２変動演出よりも、前記保留手段に前記第２の数の前記権利が保留されているときに行われた前記特別遊技判定の結果に基づく前記第２変動演出の方が、前記装飾図柄の確認表示の実行時間が短くなり易い一方、前記保留手段に前記第１の数の前記権利が保留されているときに行われた前記特別遊技判定の結果に基づく前記第２変動演出のときと、前記保留手段に前記第２の数の前記権利が保留されているときに行われた前記特別遊技判定の結果に基づく前記第２変動演出のときとで、前記特殊図柄の確認表示の実行時間は同じである、ことを特徴とする。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
指の爪に印刷を行う印刷装置と、
前記指の爪が撮影された爪画像から、前記印刷装置による印刷を行う対象となる爪領域を検出する制御装置と、
前記爪領域の前記爪の生え際側の第１領域の情報を記憶する爪情報記憶装置と、
を備え、
前記制御装置は、
前記爪情報記憶装置に前記第１領域の情報が記憶されている状態で前記爪画像から前記爪領域を検出する場合に、前記爪情報記憶装置から読み出した前記第１領域の情報と、前記爪画像から検出した前記爪領域の爪先側の第２領域の情報と、を使用する、
ことを特徴とするネイルプリント装置。
【請求項２】
前記制御装置は、
前記第１領域の情報を、前記指の識別情報と対応つけて前記爪情報記憶装置に記憶させ、
特定の指の爪に印刷を行う場合に、前記特定の指の識別情報に対応つけて前記爪情報記憶装置に記憶されている前記第１領域の情報を、前記爪情報記憶装置から読み出して使用する、
ことを特徴とする請求項１に記載のネイルプリント装置。
【請求項３】
前記制御装置は、
前記第１領域に修正が加えられた場合に、修正後の前記第１領域の情報を前記爪情報記憶装置に記憶させ、
前記爪情報記憶装置に前記修正後の前記第１領域の情報を記憶させた後に、前記爪画像から前記爪領域を検出する場合に、前記第１領域の情報を前記爪情報記憶装置から読み出して使用する、
ことを特徴とする請求項１又は請求項２に記載のネイルプリント装置。
【請求項４】
前記制御装置は、前記爪情報記憶装置に前記修正後の前記第１領域の情報が記憶されている状態で、前記爪画像から前記爪領域を検出する場合に、前記爪画像に基づいて前記第２領域のみを検出する、
ことを特徴とする請求項３に記載のネイルプリント装置。
【請求項５】
表示装置を備え、
前記制御装置は、前記爪情報記憶装置に記憶されている前記爪領域の情報に基づいて、前記表示装置に前記爪領域を表示させ、
前記表示装置に表示された前記爪領域に対して修正を行うことが可能とされている、
ことを特徴とする請求項３又は請求項４に記載のネイルプリント装置。
【請求項６】
前記制御装置は、
前記爪領域に、前記爪の幅方向に沿った境界線を設定し、前記爪領域における前記境界線から前記爪の生え際側を前記第１領域とし、前記境界線から前記爪の爪先側を前記第２領域とする、
ことを特徴とする請求項１乃至請求項５のいずれか一項に記載のネイルプリント装置。
【請求項７】
前記制御装置は、
前記爪領域に、前記印刷装置により前記印刷を行わない非印刷領域が設定されている場合に、前記爪領域から前記非印刷領域を除いた領域を前記第１領域と前記第２領域とに分ける、
ことを特徴とする請求項１乃至請求項６のいずれか一項に記載のネイルプリント装置。
【請求項８】
ネイルプリント装置の制御方法であって、
前記ネイルプリント装置は、指の爪に印刷を行う印刷装置を備え、
前記制御方法は、
前記指の爪が撮影された爪画像から、前記印刷装置による印刷を行う対象となる爪領域を検出する検出ステップを有し、
前記検出ステップは、
爪情報記憶装置から爪の生え際側の第１領域の情報を読み出す読み出しステップと、
前記爪画像から爪の爪先側の第２領域を検出する第２領域検出ステップと、
を含むことを特徴とする制御方法。
【請求項９】
さらに前記第１領域の情報を前記爪情報記憶装置に記憶させる記憶ステップを含み、
前記記憶ステップにおいて、前記第１領域に修正が加えられた場合に、修正後の前記第１領域の情報を前記爪情報記憶装置に記憶させ、
前記読み出しステップにおいて、前記爪情報記憶装置に前記修正後の前記第１領域の情報が記憶されている状態で、前記爪画像から前記爪領域を検出する場合に、前記第１領域の情報を前記爪情報記憶装置から読み出して使用する、
ことを特徴とする請求項８に記載の制御方法。
【請求項１０】
指の爪に印刷を行う印刷装置と、
前記指の爪が撮影された爪画像から、前記印刷装置による印刷を行う対象となる爪領域を検出する制御装置と、
前記制御装置が検出した爪領域を前記爪領域の前記爪の生え際側の第１領域と前記爪の爪先側の第２領域とに分けて、前記第１領域の情報を記憶する爪情報記憶装置と、
を備える、
ことを特徴とするネイルプリント装置。
【手続補正２】
【補正対象書類名】明細書
【補正対象項目名】０００７
【補正方法】変更
【補正の内容】
【０００７】
上記目的を達成するために、本発明は、以下の構成によって把握される。
本発明のネイルプリント装置は、
指の爪に印刷を行う印刷装置と、
前記指の爪が撮影された爪画像から、前記印刷装置による印刷を行う対象となる爪領域を検出する制御装置と、
前記爪領域の前記爪の生え際側の第１領域の情報を記憶する爪情報記憶装置と、
を備え、
前記制御装置は、
前記爪情報記憶装置に前記第１領域の情報が記憶されている状態で前記爪画像から前記爪領域を検出する場合に、前記爪情報記憶装置から読み出した前記第１領域の情報と、前記爪画像から検出した前記爪領域の爪先側の第２領域の情報と、を使用する、
ことを特徴とする。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機であって、
遊技者によって遊技に関する操作が行われる操作手段と、
遊技に使用される遊技媒体を貯留する貯留手段と、
所定の抽選条件が成立した場合に所定の抽選確率で成立する抽選を実行する抽選手段と、
前記抽選の抽選結果に応じて前記貯留手段に貯留されている遊技媒体の数量が異なるように演出する所定の媒体量変動演出を実行可能な媒体量変動演出手段とを備えることを特徴とする遊技機。
【請求項２】
前記遊技機は、パチンコ遊技機またはスロットマシン等の回胴式遊技機であることを特徴とする請求項１に記載の遊技機。
【手続補正２】
【補正対象書類名】明細書
【補正対象項目名】０００６
【補正方法】変更
【補正の内容】
【０００６】
本発明に係る遊技機は、上記の課題を解決するために、
遊技媒体を用いて遊技を行う遊技機であって、
遊技者によって遊技に関する操作が行われる操作手段と、
遊技に使用される遊技媒体を貯留する貯留手段と、
所定の抽選条件が成立した場合に所定の抽選確率で成立する抽選を実行する抽選手段と、
前記抽選の抽選結果に応じて前記貯留手段に貯留されている遊技媒体の数量が異なるように演出する所定の媒体量変動演出を実行可能な媒体量変動演出手段とを備えることを特徴としている。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて有利な特別遊技状態に制御する遊技機において、
変位可能な可動部材と、
前記可動部材を変位させる駆動力を付与可能であると共に、前記可動部材の停止を保持させる停止保持力を付与可能な駆動手段と、
前記駆動手段を制御可能な駆動回路部と、
前記駆動回路部を制御可能な制御手段と、を備え、
前記駆動回路部は、前記駆動手段に対して、所定の低下電流を供給可能である一方、前記低下電流よりも小さい電流を供給不能に構成されていて、
前記駆動回路部と前記制御手段との間に、前記駆動回路部が前記駆動手段に対して前記低下電流よりも小さい超低下電流を供給可能にする電流低下回路が設けられていて、
前記制御手段は、
前記駆動手段が前記可動部材に停止保持力を付与する場合に、前記電流低下回路によって、前記駆動回路部に前記超低下電流を前記駆動手段に対して供給させることが可能であることを特徴とする遊技機。
【手続補正２】
【補正対象書類名】明細書
【補正対象項目名】０００６
【補正方法】変更
【補正の内容】
【０００６】
本発明の遊技機は、
所定の制御条件の成立に基づいて有利な特別遊技状態に制御する遊技機において、
変位可能な可動部材と、
前記可動部材を変位させる駆動力を付与可能であると共に、前記可動部材の停止を保持させる停止保持力を付与可能な駆動手段と、
前記駆動手段を制御可能な駆動回路部と、
前記駆動回路部を制御可能な制御手段と、を備え、
前記駆動回路部は、前記駆動手段に対して、所定の低下電流を供給可能である一方、前記低下電流よりも小さい電流を供給不能に構成されていて、
前記駆動回路部と前記制御手段との間に、前記駆動回路部が前記駆動手段に対して前記低下電流よりも小さい超低下電流を供給可能にする電流低下回路が設けられていて、
前記制御手段は、
前記駆動手段が前記可動部材に停止保持力を付与する場合に、前記電流低下回路によって、前記駆動回路部に前記超低下電流を前記駆動手段に対して供給させることが可能であることを特徴とする遊技機である。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて有利な特別遊技状態に制御する遊技機において、
変位可能な可動部材と、
前記可動部材を変位させる駆動力を付与可能であると共に、前記可動部材の停止を保持させる停止保持力を付与可能な駆動手段と、
前記駆動手段を制御可能な駆動回路部と、を備え、
前記駆動回路部は、所定の駆動電流よりも小さい低下電流を前記駆動手段に対して供給可能に構成されていて、
前記駆動回路部に前記低下電流よりも更に小さい超低下電流を前記駆動手段に対して供給させることが可能な電流低下手段と、
前記駆動回路部と前記電流低下手段とを制御可能な制御手段と、が設けられていて、
前記駆動手段は、
電源が投入された後の初期状態から、前記制御手段が前記電流低下手段と前記駆動回路部とを制御することにより、前記駆動回路部から供給される前記超低下電流に基づいて、前記可動部材に停止保持力を付与することを特徴とする遊技機。
【手続補正２】
【補正対象書類名】明細書
【補正対象項目名】０００６
【補正方法】変更
【補正の内容】
【０００６】
本発明の遊技機は、
所定の制御条件の成立に基づいて有利な特別遊技状態に制御する遊技機において、
変位可能な可動部材と、
前記可動部材を変位させる駆動力を付与可能であると共に、前記可動部材の停止を保持させる停止保持力を付与可能な駆動手段と、
前記駆動手段を制御可能な駆動回路部と、を備え、
前記駆動回路部は、所定の駆動電流よりも小さい低下電流を前記駆動手段に対して供給可能に構成されていて、
前記駆動回路部に前記低下電流よりも更に小さい超低下電流を前記駆動手段に対して供給させることが可能な電流低下手段と、
前記駆動回路部と前記電流低下手段とを制御可能な制御手段と、が設けられていて、
前記駆動手段は、
電源が投入された後の初期状態から、前記制御手段が前記電流低下手段と前記駆動回路部とを制御することにより、前記駆動回路部から供給される前記超低下電流に基づいて、前記可動部材に停止保持力を付与することを特徴とする遊技機である。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
インクを収容する複数の圧力室と、
前記複数の圧力室のそれぞれに配され、前記圧力室内のインクにエネルギを付与する複数のエネルギ発生素子と、
前記複数のエネルギ発生素子のそれぞれに対応付けて用意され、前記エネルギ発生素子によってエネルギが付与されたインクを吐出させる複数の吐出口と、
複数の送液機構であって、それぞれが、少なくとも１つの前記圧力室に対応づけて用意され、インクの流れに対し少なくとも一つの前記エネルギ発生素子の上流側に配置され、前記少なくとも一つの前記圧力室のインクの流れを促す、複数の送液機構と、
前記複数の送液機構の駆動を制御するための制御手段と
を備えるインク吐出装置であって、
前記制御手段は、前記複数の送液機構を複数のブロックに分割し、当該ブロックの夫々に含まれる複数の前記送液機構を、異なるタイミングで駆動することを特徴とするインク吐出装置。
【請求項２】
前記複数の送液機構は前記複数のエネルギ発生素子と同じ平面に配列し、前記制御手段によって同時に駆動される複数の前記送液機構は、前記平面において一様に分散している請求項１に記載のインク吐出装置。
【請求項３】
前記制御手段は、前記複数の前記圧力室に共通してインクを供給する流路における流速が相対的に速い場合は、相対的に遅い場合よりも、前記複数の送液機構の駆動量を小さくする請求項１または２に記載のインク吐出装置。
【請求項４】
前記制御手段は、環境温度または環境湿度の少なくとも一方に基づいて前記複数の送液機構の駆動量を変更する請求項１から３のいずれか１項に記載のインク吐出装置。
【請求項５】
前記制御手段は、前記複数のエネルギ発生素子が配された基板の温度に基づいて前記複数の送液機構の駆動量を変更する請求項１から４のいずれか１項に記載のインク吐出装置。
【請求項６】
前記制御手段は、前記エネルギ発生素子を駆動するための吐出データに基づいて、当該エネルギ発生素子に対応する前記送液機構の駆動量を個別に変更する請求項１から５のいずれか１項に記載のインク吐出装置。
【請求項７】
前記制御手段は、前記エネルギ発生素子が駆動される前または駆動された後の所定期間は当該エネルギ発生素子に対応する前記送液機構の駆動量を低減する請求項６に記載のインク吐出装置。
【請求項８】
前記制御手段は、前記エネルギ発生素子を駆動するための吐出データに基づいて、当該エネルギ発生素子を駆動するための新たな吐出データを生成して前記吐出口からインクを吐出させるとともに、当該エネルギ発生素子に対応する前記送液機構の駆動量を低減する請求項６または７に記載のインク吐出装置。
【請求項９】
前記制御手段は、前記送液機構の単位時間における駆動回数または駆動周期の少なくとも一方を調整することによって、前記送液機構の駆動量を変更する請求項１から８のいずれか１項に記載のインク吐出装置。
【請求項１０】
前記送液機構と当該送液機構に対応づけられた複数の前記圧力室は、同一の流路の中にインクが流れる方向に沿って１列に配置している請求項１から９のいずれか１項に記載のインク吐出装置。
【請求項１１】
前記送液機構は、前記複数の圧力室のそれぞれに対し一つずつ用意されている請求項１から９のいずれか１項に記載のインク吐出装置。
【請求項１２】
インクを収容する複数の圧力室と、
前記複数の圧力室のそれぞれに配され、前記圧力室内のインクにエネルギを付与する複数のエネルギ発生素子と、
前記複数のエネルギ発生素子のそれぞれに対応付けて用意され、前記エネルギ発生素子によってエネルギが付与されたインクを吐出させる複数の吐出口と、
複数の送液機構であって、それぞれが、少なくとも１つの前記圧力室に対応づけて用意され、インクの流れに対し少なくとも一つの前記エネルギ発生素子の上流側に配置され、前記少なくとも一つの前記圧力室のインクの流れを促す、複数の送液機構と、
を備えるインク吐出装置の制御方法であって、
複数の前記送液機構を複数のブロックに分割し、当該ブロックの夫々に含まれる複数の前記送液機構を、異なるタイミングで駆動することを特徴とするインク吐出装置の制御方法。
【手続補正２】
【補正対象書類名】明細書
【補正対象項目名】発明の名称
【補正方法】変更
【補正の内容】
【発明の名称】インク吐出装置および制御方法
【手続補正３】
【補正対象書類名】明細書
【補正対象項目名】０００１
【補正方法】変更
【補正の内容】
【０００１】
本発明はインク吐出装置およびその制御方法に関する。
【手続補正４】
【補正対象書類名】明細書
【補正対象項目名】０００８
【補正方法】変更
【補正の内容】
【０００８】
本発明は、上記問題点を解消するためになされたものである。よってその目的とすると
ころは、吐出素子に対応づけて循環流路を備える構成において、液体の揮発、電源容量、
ノイズの影響を抑えながら、好適に液体を循環させ安定した吐出動作を維持することが可
能なインク吐出装置を提供することである。
【手続補正５】
【補正対象書類名】明細書
【補正対象項目名】０００９
【補正方法】変更
【補正の内容】
【０００９】
そのために本発明は、インクを収容する複数の圧力室と、前記複数圧力室のそれぞれに配され、前記圧力室内のインクにエネルギを付与する複数のエネルギ発生素子と、前記複数のエネルギ発生素子のそれぞれに対応付けて用意され、前記エネルギ発生素子によってエネルギが付与されたインクを吐出させる複数の吐出口と、複数の送液機構であって、それぞれが、少なくとも１つの前記圧力室に対応づけて用意され、インクの流れに対し少なくとも一つの前記エネルギ発生素子の上流側に配置され、前記少なくとも一つの前記圧力室のインクの流れを促す、複数の送液機構と、前記複数の送液機構の駆動を制御するための制御手段とを備えるインク吐出装置であって、前記制御手段は、前記複数の送液機構を複数のブロックに分割し、当該ブロックの夫々に含まれる複数の前記送液機構を、異なるタイミングで駆動することを特徴とする。
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
第１の面及び前記第１の面と反対側の第２の面を有する基板と、
前記第１の面側に、循環流路と、前記循環流路を通して液体が循環される圧力室と、吐出口と、前記圧力室内の液体を前記吐出口から吐出させるためのエネルギーを発生させる吐出エネルギー発生素子と、を備える液体吐出ヘッドであって、
前記基板は、前記第１の面と前記第２の面との間を貫通して前記循環流路に液体を供給する貫通供給路と、前記第１の面と前記第２の面との間を貫通して前記循環流路から液体を回収する貫通回収路と、を有し、
前記循環流路中には、複数の前記圧力室が直列に配置され、
前記循環流路は、前記複数の前記圧力室と、第１の圧力の液体を前記循環流路の第１の位置に供給する第１の供給路と、前記第１の圧力とは異なる第２の圧力の液体を前記循環流路の前記第１の位置とは異なる第２の位置に供給する第２の供給路と、前記第１の面と前記吐出口との間に配され複数の前記圧力室を連通させる連絡流路と、を含むことを特徴とする液体吐出ヘッド。
【請求項２】
前記第１の位置は前記循環流路の一端部であり、前記第２の位置は前記循環流路の他端部である請求項１に記載の液体吐出ヘッド。
【請求項３】
前記第１の位置および前記第２の位置の少なくとも一方は複数である請求項１または２に記載の液体吐出ヘッド。
【請求項４】
前記循環流路内の液体を流動させるための流動機構を更に備える請求項１から３のいずれか１項に記載の液体吐出ヘッド。
【請求項５】
前記循環流路中に直列に配置される前記圧力室の数が３以上である請求項１から４のいずれか１項に記載の液体吐出ヘッド。
【請求項６】
前記循環流路中に直列に配置される前記複数の前記圧力室のそれぞれに対応する前記吐出口は、同じ吐出口列上に位置する請求項１から５のいずれか１項に記載の液体吐出ヘッド。
【請求項７】
前記循環流路中に直列に配置される前記複数の前記圧力室のそれぞれに対応する前記吐出口は、異なる吐出口列上に位置する請求項１から５のいずれか１項に記載の液体吐出ヘッド。
【請求項８】
前記循環流路は、一端部側における液体の流抵抗と、他端部側における液体の流抵抗と、が異なる請求項１から７のいずれか１項に記載の液体吐出ヘッド。
【請求項９】
前記連絡流路は、液体が一方向に流動するときの流抵抗と、液体が他方向に流動するときの流抵抗と、が異なる請求項１から８のいずれか１項に記載の液体吐出ヘッド。
【請求項１０】
複数の前記吐出口は、第１の開口面積の第１の吐出口と、前記第１の開口面積よりも大きい第２の開口面積の第２の吐出口と、を含み、
前記第１の吐出口は、前記第２の吐出口よりも前記循環流路の上流側に位置する請求項１から９のいずれか１項に記載の液体吐出ヘッド。
【請求項１１】
前記吐出口が配列されて形成された吐出口列は、前記循環流路に沿って設けられている請求項１から１０のいずれか１項に記載の液体吐出ヘッド。
【請求項１２】
前記循環流路中に直列に配置される前記圧力室の数が５以下である請求項１から１１のいずれか１項に記載の液体吐出ヘッド。
【請求項１３】
前記連絡流路は、前記吐出口を介さずに前記複数の前記圧力室を連通する請求項１から１２のいずれか１項に記載の液体吐出ヘッド。
【請求項１４】
前記循環流路の前記第１の位置には前記第１の供給路の第１の接続口が形成され、前記循環流路の前記第２の位置には前記第２の供給路の第２の接続口が形成され、
前記貫通供給路は前記第２の供給路に開口し、前記貫通回収路は前記第１の供給路に開口する請求項１から１３のいずれか１項に記載の液体吐出ヘッド。
【請求項１５】
請求項１から１４のいずれか１項に記載の液体吐出ヘッドと、
前記液体吐出ヘッドの前記循環流路に液体を供給する供給手段と、
前記吐出エネルギー発生素子を制御する制御手段と、
を備える液体吐出装置。
【手続補正２】
【補正対象書類名】明細書
【補正対象項目名】０００６
【補正方法】変更
【補正の内容】
【０００６】
本発明の液体吐出ヘッドは、第１の面及び前記第１の面と反対側の第２の面を有する基板と、前記第１の面側に、循環流路と、前記循環流路を通して液体が循環される圧力室と、吐出口と、前記圧力室内の液体を前記吐出口から吐出させるためのエネルギーを発生させる吐出エネルギー発生素子と、を備える液体吐出ヘッドであって、前記基板は、前記第１の面と前記第２の面との間を貫通して前記循環流路に液体を供給する貫通供給路と、前記第１の面と前記第２の面との間を貫通して前記循環流路から液体を回収する貫通回収路と、を有し、前記循環流路中には、複数の前記圧力室が直列に配置され、前記循環流路は、前記複数の前記圧力室と、第１の圧力の液体を前記循環流路の第１の位置に供給する第１の供給路と、前記第１の圧力とは異なる第２の圧力の液体を前記循環流路の前記第１の位置とは異なる第２の位置に供給する第２の供給路と、前記第１の面と前記吐出口との間に配され複数の前記圧力室を連通させる連絡流路と、を含むことを特徴とする。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
スキャンライン手法によって画像形成するためのレンダリング処理を行う画像処理装置であって、
スキャンライン上にあるオブジェクトの輪郭で区切られたスパンに対応するスパンデータを生成するスパン処理手段と、
生成されたスパンデータに対し、そのスパンにおける描画に不要なオブジェクトの除去処理を行う除去手段と、
前記除去処理後のスパンデータに基づき、各スパンの描画に必要なピクセルデータを用いて、ページ単位のビットマップ画像を生成する生成手段と、
を備え、
前記生成手段は、
ページ内の特定のイメージオブジェクトについて、ＦＩＦＯメモリを介してそのピクセルデータを取得し、
前記除去処理によって前記特定のイメージオブジェクトの一部が除去されていた場合には、前記除去処理後のスパンデータに含まれる当該一部の読み捨て指示に従って、当該一部に対応するピクセルデータを前記ＦＩＦＯメモリから取得した上で破棄することで、各スパンの描画に必要なピクセルデータを生成する
ことを特徴とする画像処理装置。
【請求項２】
前記特定のイメージオブジェクトの圧縮された画像データを伸長してピクセルデータに変換する伸長処理手段をさらに備え、
前記生成手段は、前記伸長処理手段で伸長されたピクセルデータを、前記ＦＩＦＯメモリを介して取得する
ことを特徴とする請求項１に記載の画像処理装置。
【請求項３】
前記特定のイメージオブジェクトは、ページの背景画像であることを特徴とする請求項２に記載の画像処理装置。
【請求項４】
前記特定のイメージオブジェクトは、フォールバック処理で生成されるフォールバック画像であることを特徴とする請求項２に記載の画像処理装置。
【請求項５】
前記特定のイメージオブジェクトは、地紋印刷における下地地紋画像であることを特徴とする請求項２に記載の画像処理装置。
【請求項６】
前記特定のイメージオブジェクトは、フォームオーバーレイ印刷におけるフォーム画像であることを特徴とする請求項２に記載の画像処理装置。
【請求項７】
前記除去処理によって前記特定のイメージオブジェクトの一部が除去された後のスパンデータに対し、前記読み捨て指示を付加する付加手段をさらに備え、
前記生成手段は、前記付加手段によって読み捨て指示が付加されたスパンデータに基づいてページ単位のビットマップ画像を生成する
ことを特徴とする請求項１乃至６のいずれか１項に記載の画像処理装置。
【請求項８】
前記除去手段が、前記除去処理において、処理対象のスパンに存在するオブジェクトが前記特定のイメージオブジェクトであってその前面に別オブジェクトが重なる場合に、前記特定のイメージオブジェクトにおける当該重なり部分を除去する代わりにその読み捨て指示をスパンデータに付加し、
前記生成手段は、前記除去手段によって読み捨て指示が付加されたスパンデータに基づいてページ単位のビットマップ画像を生成する
ことを特徴とする請求項１乃至６のいずれか１項に記載の画像処理装置。
【請求項９】
画像形成のためのレンダリング処理を行う画像処理装置であって、
ＰＤＬで記述された印刷データに基づいて中間データを生成する生成手段と、
メモリに背景画像を保存する保存手段と、
生成された中間データに基づいて、処理ライン上のスパンであって、当該スパン内の１つ以上のオブジェクトを示す第１のスパンデータを生成する生成手段と、
生成された前記中間データに基づくオブジェクトと前記背景画像の一部とが１つのスパンに含まれ、かつ、前記背景画像の前記一部がページのビットマップ画像に現れていない場合に、前記背景画像の前記一部に対応する前記第１のスパンデータの一部を除去することにより第２のスパンデータを生成する生成手段と、
前記ページのビットマップ画像を、前記中間データ、保存された前記背景画像及び前記第２のスパンデータに基づいて生成する生成手段と、
を備え、
前記ページのビットマップ画像の生成において、前記メモリに保存されている前記背景画像の前記一部は、前記メモリから読み出された上で破棄される、
ことを特徴とする画像処理装置。
【請求項１０】
スキャンライン手法によって画像形成するためのレンダリング処理の方法であって、
スキャンライン上にあるオブジェクトの輪郭で区切られたスパンに対応するスパンデータを生成するステップと、
生成されたスパンデータに対し、そのスパンにおける描画に不要なオブジェクトの除去処理を行うステップと、
前記除去処理後のスパンデータに基づき、各スパンの描画に必要なピクセルデータを用いて、ページ単位のビットマップ画像を生成するステップと、
を含み、
前記ビットマップ画像を生成するステップでは、
ページ内の特定のイメージオブジェクトについて、ＦＩＦＯメモリを介してそのピクセルデータを取得し、
前記除去処理によって前記特定のイメージオブジェクトの一部が除去されていた場合には、前記除去処理後のスパンデータに含まれる当該一部の読み捨て指示に従って、当該一部に対応するピクセルデータを前記ＦＩＦＯメモリから取得した上で破棄することで、各スパンの描画に必要なピクセルデータを生成する
ことを特徴とするレンダリング処理の方法。
【請求項１１】
コンピュータを、請求項１乃至９のいずれか１項に記載の画像処理装置として機能させるためのプログラム。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
液体を吐出する複数の吐出口を備える記録素子基板を有する複数の吐出モジュールと、
少なくとも１つの吐出モジュールを支持する複数の第１流路部材と、
前記複数の第１流路部材に対して共通に設けられて前記複数の第１流路部材を支持する第２流路部材と、
を有し、
前記第１流路部材及び前記第２流路部材は前記記録素子基板に液体を供給する流路を備え、
前記第１流路部材と前記第２流路部材とは、前記第１流路部材と前記第２流路部材とが直接接触しないで接着剤層を介して接合しており、
前記吐出モジュールは、前記記録素子基板と、前記記録素子基板を支持するとともに、前記第１流路部材を介して供給される液体を前記記録素子基板に供給する支持部材と、を有する、液体吐出ヘッド。
【請求項２】
前記記録素子基板と前記支持部材とは、前記記録素子基板と前記支持部材とが直接接触しないで接着剤層を介して接合している、請求項１に記載の液体吐出ヘッド。
【請求項３】
前記支持部材と前記第１流路部材とは、前記支持部材と前記第１流路部材とが直接接触しないで接着剤層を介して接合している、請求項１または２に記載の液体吐出ヘッド。
【請求項４】
前記支持部材における前記記録素子基板に対する接合面の平面度が、前記第１流路部材における前記支持部材に対する接合面の平面度よりも高い、請求項１乃至３のいずれか１項に記載の液体吐出ヘッド。
【請求項５】
前記支持部材を構成する材料の熱伝導率が、前記第１流路部材を構成する材料の熱伝導率よりも大きい、請求項１乃至４のいずれか１項に記載の液体吐出ヘッド。
【請求項６】
前記液体吐出ヘッドはページワイド型であり、複数の前記記録素子基板は前記液体吐出ヘッドの長手方向に沿って直線状に配列される、請求項１乃至５のいずれか１項に記載の液体吐出ヘッド。
【請求項７】
前記複数の吐出モジュールが第１の方向に配列するとともに、前記複数の吐出モジュールの各々において当該吐出モジュールの前記記録素子基板の複数の吐出口が前記第１の方向と鋭角をなして配列している、請求項１乃至６のいずれか１項に記載の液体吐出ヘッド。
【請求項８】
前記記録素子基板は、前記複数の吐出口と、液体を吐出するエネルギーを発生する記録素子と、前記記録素子を内部に備える圧力室と、前記圧力室に液体を供給する液体供給路と、前記圧力室から液体を回収する液体回収路と、を備え、
前記圧力室の内部の液体は前記圧力室の外部との間で循環される、請求項１乃至７のいずれか１項に記載の液体吐出ヘッド。
【請求項９】
前記第２流路部材は、液体を前記圧力室に供給するための、前記液体吐出ヘッドの長手方向に沿って延在する共通供給流路と、液体を前記圧力室から回収するための、前記共通供給流路に沿って延在する共通回収流路と、を備え、
前記共通供給流路及び前記共通回収流路は、それぞれ、前記第１流路部材を介して前記液体供給路及び前記液体回収路に連通する、請求項８に記載の液体吐出ヘッド。
【請求項１０】
請求項１乃至９のいずれか１項に記載の液体吐出ヘッドと、
液体を貯える貯留手段と、
を備えることを特徴とする液体吐出装置。
【請求項１１】
請求項９に記載の液体吐出ヘッドと、
液体を貯える貯留手段と、
前記貯留手段から前記共通供給流路を介して液体を循環させる第１の循環系と、
前記貯留手段から前記共通回収流路を介して液体を循環させる第２の循環系と、
を備えることを特徴とする液体吐出装置。
【請求項１２】
請求項１に記載の液体吐出ヘッドの製造方法であって、
前記吐出モジュールとの接合面を鉛直方向下方にして前記複数の第１流路部材を第１のステージの上の所定位置に配置する工程と、
前記第２流路部材における前記複数の第１流路部材との接合面、及び前記複数の第１流路部材における前記第２流路部材との接合面の少なくとも一方に対し、流路のための開口部を除いて接着剤を塗布する工程と、
前記第２流路部材における前記複数の第１流路部材との接合面を鉛直方向下方に向けつつ前記第２流路部材が前記第１のステージの上の前記所定位置に配置されている前記第１流路部材の鉛直方向上方に位置するように、前記第２流路部材を第２のステージに設置する工程と、
前記第１のステージ及び前記第２のステージの少なくとも一方を鉛直方向に移動させることにより、前記第１流路部材と前記第２流路部材とを相互に直接接触させずに前記接着剤を介して接着する工程と、
を有する製造方法。
【請求項１３】
前記接着剤を塗布する厚さは、前記第１流路部材の厚み公差と前記第２流路部材における前記第１流路部材との接合面の平面度との和よりも大きい、請求項１２に記載の製造方法。
【手続補正２】
【補正対象書類名】明細書
【補正対象項目名】０００６
【補正方法】変更
【補正の内容】
【０００６】
本発明の液体吐出ヘッドは、液体を吐出する複数の吐出口を備える記録素子基板を有する複数の吐出モジュールと、少なくとも１つの吐出モジュールを支持する複数の第１流路部材と、複数の第１流路部材に対して共通に設けられて複数の第１流路部材を支持する第２流路部材と、を有し、第１流路部材及び第２流路部材は記録素子基板に液体を供給する流路を備え、第１流路部材と第２流路部材とは、第１流路部材と第２流路部材とが直接接触しないで接着剤層を介して接合しており、吐出モジュールは、記録素子基板と、記録素子基板を支持するとともに、第１流路部材を介して供給される液体を記録素子基板に供給する支持部材と、を有する。
本発明の液体吐出装置は、本発明の液体吐出ヘッドと、液体を貯える貯留手段と、を備える。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
メジアン繊維径が１００ｎｍ以上２０００ｎｍ以下である単繊維の絡合によって保形されている不織構造体を備え、
前記不織構造体は、見かけ密度が０．０５ｇ／ｃｍ３以上０．６０ｇ／ｃｍ３以下であり、
前記単繊維がイオン性界面活性剤を含む、洗浄用部材。
【請求項２】
前記不織構造体がシート状であり、該不織構造体に対する水滴の浸透時間が１分以内である、請求項１に記載の洗浄用部材。
【請求項３】
前記単繊維は樹脂と前記イオン性界面活性剤とを含む混合物である、請求項１又は２に記載の洗浄用部材。
【請求項４】
前記不織構造体は、その空隙率が３０％以上７５％以下である、請求項１〜３のいずれか一項に記載の洗浄用部材。
【請求項５】
累積細孔容積を細孔径の対数値で微分した細孔容積分布において、５０μｍ以下の細孔径の範囲にトップピークを有し、且つ５０μｍ超の細孔径の範囲にトップピークを有していない分布を有する、請求項１〜４のいずれか一項に記載の洗浄用部材。
【請求項６】
支持部材を更に備え、
前記支持部材と前記不織構造体とが互いに接するように配されている、請求項１〜５のいずれか一項に記載の洗浄用部材。
【請求項７】
前記イオン性界面活性剤の含有量は、前記単繊維の全構成成分１００質量部に対して、２質量部以上１０質量部以下である、請求項１〜６のいずれか一項に記載の洗浄用部材。
【請求項８】
メジアン繊維径が１００ｎｍ以上２０００ｎｍ以下である単繊維の絡合によって保形されている不織構造体を備え、前記不織構造体は、見かけ密度が０．０５ｇ／ｃｍ３以上０．６０ｇ／ｃｍ３以下であり、前記単繊維がイオン性界面活性剤を含む洗浄用部材の製造方法であって、
イオン性界面活性剤を含む電界紡糸用組成物の溶液又は溶融液を電場中に吐出し、電界紡糸法によって紡糸して、単繊維の堆積体を形成する工程と、
前記堆積体を押圧して、見かけ密度が０．０５ｇ／ｃｍ３以上０．６０ｇ／ｃｍ３以下の不織構造体を形成する工程と、
前記不織構造体に対して加熱処理を行う工程とを備える、洗浄用部材の製造方法。
【請求項９】
前記堆積体に、１０Ｎ／ｃｍ２以上１０００００Ｎ／ｃｍ２以下の圧力を加えて、圧縮成形体である不織構造体を形成する、請求項８に記載の洗浄用部材の製造方法。
【請求項１０】
厚みが０．０４ｍｍ以上の前記不織構造体を形成する、請求項８又は９に記載の洗浄用部材の製造方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
購入によって獲得できる有償アイテムと、ゲーム実行によって獲得できる無償アイテムの所有数をプレイヤ毎に記憶する記憶手段と、
プレイヤの指示に応じて設定された数の有償アイテムと無償アイテムを消費して抽選ゲームを実行する抽選手段と、
前記抽選ゲームの実行に基づいて前記プレイヤにポイントを取得させ、当該ポイントが所定数に到達した場合、特別抽選ゲームを実行する制御手段と、
を備え、
前記制御手段は、前記消費された有償アイテムの数が多いほど、多くのポイントを取得させる、
情報処理装置。
【請求項２】
前記特別抽選ゲームは、予め定められたレアリティよりも高いレアリティのコンテンツのみを前記プレイヤに付与する、
請求項１に記載の情報処理装置。
【請求項３】
前記特別抽選ゲームは、前記抽選ゲームで付与され得るコンテンツのうち、予め定められたレアリティよりも高いレアリティのコンテンツのみを前記プレイヤに付与する、
請求項１に記載の情報処理装置。
【請求項４】
前記制御手段は、前記抽選ゲームにおいて、予め定められたレアリティよりも低いレアリティのコンテンツを前記プレイヤに付与した場合、当該プレイヤに前記ポイントを取得させる、
請求項１乃至３の何れか１項に記載の情報処理装置。
【請求項５】
コンピュータを、
購入によって獲得できる有償アイテムと、ゲーム実行によって獲得できる無償アイテムの所有数をプレイヤ毎に記憶する記憶手段、
プレイヤの指示に応じて設定された数の有償アイテムと無償アイテムを消費して抽選ゲームを実行する抽選手段、
前記抽選ゲームの実行に基づいて前記プレイヤにポイントを取得させ、当該ポイントが所定数に到達した場合、特別抽選ゲームを実行する制御手段、
として機能させ、
前記制御手段は、前記消費された有償アイテムの数が多いほど、多くのポイントを取得させる、
プログラム。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
購入によって獲得できる有償アイテムと、ゲーム実行によって獲得できる無償アイテムを含むアイテムの所有数をプレイヤ毎に記憶する記憶手段と、
プレイヤの要求に基づいて、所定数のアイテムを消費して抽選ゲームを実行する制御手段と、
を備え、
前記制御手段は、有償アイテムと無償アイテムを所定の順番に従って消費し、前記所定数のアイテムに含まれる有償アイテムの数に応じて、前記抽選ゲームにおいて、前記プレイヤが所有していないコンテンツの抽選確率を優遇する、
情報処理装置。
【請求項２】
前記制御手段は、前記所定数のアイテムに含まれる有償アイテムの数が多いほど、前記抽選ゲームにおいて、前記プレイヤが所有していないコンテンツの抽選確率を上昇させる、
請求項１に記載の情報処理装置。
【請求項３】
前記制御手段は、前記所定数のアイテムに含まれる有償アイテムの数が多いほど、前記抽選ゲームにおいて、前記プレイヤが所有していないコンテンツであって予め定められたレアリティよりも高いレアリティのコンテンツの抽選確率を上昇させる、
請求項１に記載の情報処理装置。
【請求項４】
前記制御手段は、前記抽選ゲームにおいて、獲得日時が新しいアイテムから順番に消費する、
請求項１乃至３の何れか１項に記載の情報処理装置。
【請求項５】
前記制御手段は、前記抽選ゲームにおいて、獲得日時が古いアイテムから順番に消費する、
請求項１乃至３の何れか１項に記載の情報処理装置。
【請求項６】
前記制御手段は、前記抽選ゲームにおいて、無償アイテムから順番に消費する、
請求項１乃至３の何れか１項に記載の情報処理装置。
【請求項７】
前記制御手段は、前記抽選ゲームにおいて、有償アイテムから順番に消費する、
請求項１乃至３の何れか１項に記載の情報処理装置。
【請求項８】
コンピュータを、
購入によって獲得できる有償アイテムと、ゲーム実行によって獲得できる無償アイテムを含むアイテムの所有数をプレイヤ毎に記憶する記憶手段、
プレイヤの要求に基づいて、所定数のアイテムを消費して抽選ゲームを実行する制御手段、
として機能させ、
前記制御手段は、有償アイテムと無償アイテムを所定の順番に従って消費し、前記所定数のアイテムに含まれる有償アイテムの数に応じて、前記抽選ゲームにおいて、前記プレイヤが所有していないコンテンツの抽選確率を優遇する、
プログラム。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
ヒドロキシチロソール０．８〜２．５ｍｇ／１００ｍＬとカフェイン１０〜２１０ｍｇ／１００ｍＬとを含み、ヒドロキシチロソールとカフェインとの重量比（［ヒドロキシチロソール］／［カフェイン］）が０．００３〜０．２５である、飲料。
【請求項２】
前記飲料が茶飲料である、請求項１に記載の飲料。
【請求項３】
ヒドロキシチロソールを０．８〜２．５ｍｇ／１００ｍＬ含む飲料の香味を改善する方法であって、カフェイン１０〜２１０ｍｇ／１００ｍＬを配合し、ヒドロキシチロソールとカフェインとの重量比（［ヒドロキシチロソール］／［カフェイン］）を０．００３〜０．２５に調整する工程を含む、前記方法。